(57)【要約】  ダイヤフラム部（２）と、ダイヤフラム部（２）と対向する接点部（３１）を有するターミナル部（３）と、ターミナル部（３）の外周を囲む絶縁性リング（４）と、絶縁性リング（４）の外周を囲む導電性リング（５）と、導電性リング（５）及びダイヤフラム部（２）を把持する導電性ホルダ（６）と、ダイヤフラム部（２）と接点部（３１）との間の領域に区画形成された接点室（８）と、接点室の内外を連通する連通孔（９）と、を有している。さらに、連通孔（９）の外部側開口を覆う通液性のフィルタ（１０）を有している。フィルタ（１０）があることで、連通孔（９）から接点室（８）側へのコンタミの侵入を抑制することができる。
2019176271.tif 000002
【特許請求の範囲】
【請求項１】
油圧作動機器の作動油中に設けられたダイヤフラム式の油圧スイッチであって、
ダイヤフラム部と、
前記ダイヤフラム部と対向する接点部を有するターミナル部と、
前記ターミナル部の外周を囲む絶縁性リングと、
前記絶縁性リングの外周を囲む導電性リングと、
前記導電性リング及び前記ダイヤフラム部を把持する導電性ホルダと、
前記ダイヤフラム部と前記接点部との間の領域に区画形成された接点室と、
前記導電性リング及び前記絶縁性リングの何れかに設けられ前記接点室の内部と外部とを連通する連通孔と、
前記連通孔を覆う通液性のフィルタと、
を有している油圧スイッチ。
【請求項２】
請求項１に記載の油圧スイッチにおいて、
前記フィルタは、絶縁性を有すると共に、前記接点室の外部における前記導電性リングの露出表面全面を覆うものである油圧スイッチ。
【請求項３】
請求項２に記載の油圧スイッチにおいて、
前記フィルタは、ドーナツ形状を有しており、
前記ドーナツ形状の中央孔部に前記ターミナル部が挿入されており、
前記ドーナツ形状の外周端部が、前記導電性ホルダによりかしめ固定されている油圧スイッチ。
【発明の詳細な説明】
【技術分野】
【０００１】
本発明は、油圧式自動変速機の摩擦締結要素等の油圧作動機器に供給される作動油圧を検出するのに好適な油圧スイッチに関するものである。
【背景技術】
【０００２】
油圧式自動変速機には、各摩擦締結要素に供給される作動油圧を検出するために、各摩擦締結要素への油圧回路上に油圧スイッチが設けられることがある（特許文献１参照）。
この油圧スイッチは、作動油圧がある閾値よりも高ければオン信号を出力し、ある閾値よりも低ければオフ信号を出力するようなオンオフスイッチが採用され、例えば、一般的に知られているダイヤフラム式の油圧スイッチを用いることができる。【０００３】
従来のダイヤフラム式の油圧スイッチでは、ダイヤフラムとターミナルの接点とが接触可能に配置されている接点室を、接点室の外部と連通接続する連通孔が設けられており、当該連通孔を介して接点室中に油を充填している。
接点室内に作動油を充填する理由は、油圧スイッチ自体の応答性にラグを持たせるためや、ダイヤフラムの劣化を防止するためである。【０００４】
しかし、当該連通孔から導電性又は絶縁性の夾雑物（以下、コンタミという）が侵入してしまうことがある。
導電性のコンタミがダイヤフラムとターミナルの接点との間に侵入すると、ダイヤフラムとターミナルの接点とが常時接続となり、油圧スイッチの機能が阻害される。
また、絶縁性のコンタミが侵入すると、ダイヤフラムとターミナルの接点とが接触しようとする際に、当該絶縁性のコンタミが両者の間に挟まって、油圧スイッチの機能が阻害されるおそれがある。
【先行技術文献】
【特許文献】
【０００５】
【特許文献１】国際公開第２０１５／０４６１８９号
【発明の概要】
【０００６】
本発明は上記課題を解決するもので、接点室を外部と連通接続する連通孔が設けられたダイヤフラム式の油圧スイッチにおいて、連通孔から接点室側へのコンタミの侵入を抑制することができるようにすることを目的とする。
【０００７】
上記の目的を達成するために、本発明の油圧スイッチは、油圧作動機器の作動油中に設けられたダイヤフラム式の油圧スイッチであって、ダイヤフラム部と、前記ダイヤフラム部と対向する接点部を有するターミナル部と、前記ターミナル部の外周を囲む絶縁性リングと、前記絶縁性リングの外周を囲む導電性リングと、前記導電性リング及び前記ダイヤフラム部を把持する導電性ホルダと、前記ダイヤフラム部と前記接点部との間の領域に区画形成された接点室と、前記導電性リング及び前記絶縁性リングの何れかに設けられ前記接点室の内部と外部とを連通する連通孔と、前記連通孔を覆う通液性のフィルタと、を有している。
【０００８】
前記フィルタは、絶縁性を有すると共に、前記接点室の外部における前記導電性リングの露出表面全面を覆うことが好ましい。
前記フィルタは、ドーナツ形状を有しており、前記ドーナツ形状の中央孔部に前記ターミナル部が挿入されており、前記ドーナツ形状の外周端部が、前記導電性ホルダによりかしめ固定されていることが好ましい。
【０００９】
本発明によれば、導電性リングは連通孔を有し、この連通孔を覆う通液性のフィルタを有しており、接点室内と接点室外とは、連通孔及びフィルタを介して連通しているので、連通孔を通じて接点室中に油を充填できると共に、フィルタにより接点室内へのコンタミの侵入を防止することができる。
【００１０】
また、フィルタが液体を通さない非通液性のフィルタであると、油を通過させることが困難となるが、本フィルタは油を通過させることができる通液性のものであるので、接点室中に油を円滑に導入することができる。
【図面の簡単な説明】
【００１１】
【図１】一実施形態にかかる油圧スイッチの縦断面図である。
【図２】一実施形態にかかる油圧スイッチの適用例を示す油圧回路図である。
【図３】一実施形態にかかる油圧スイッチの応答特性を示すタイムチャートである。
【図４】一実施形態の対比例にかかる油圧スイッチの縦断面図である。
【発明を実施するための形態】
【００１２】
以下、図面を参照して、本発明の実施の形態について説明する。なお、以下に示す実施形態はあくまでも例示に過ぎず、以下の実施形態で明示しない種々の変形や技術の適用を排除する意図はない。以下の実施形態の構成は、それらの趣旨を逸脱しない範囲で種々変形して実施することができる。
【００１３】
［油圧スイッチの概要構成］
本実施形態にかかる油圧スイッチは、油圧が作用されることによりダイヤフラム部が変形し、そのダイヤフラム部の変形に伴ってオン，オフが切り換えられるダイヤフラム式の油圧スイッチであり、油圧作動機器の作動油中に臨んで配設され、作動油の油圧に応答して作動する。この例では、油圧作動機器として油圧作動式の摩擦締結要素を例示する。
【００１４】
また、図示しないが、この油圧スイッチは、車両用の油圧式の自動変速機の底部に設けられたオイルパン内に、貯留された油（ＡＴＦ：Ａｕｔｏｍａｔｉｃ  Ｔｒａｎｓｍｉｓｓｉｏｎ  Ｆｌｕｉｄ）に浸かった状態で設けられている。また、油圧スイッチは、変速を行なうための油圧を制御するバルブボディに固定されているものとする。
【００１５】
さらに、この油圧スイッチは、図２に示すように、車両に搭載される自動変速機の油圧回路１００内に装備される。つまり、油圧回路１００には、供給電流の変化に伴い自動変速機の摩擦締結要素１１０に供給される作動油圧を変化させる特性を有するソレノイド弁１２０が装備され、ソレノイド弁１２０と摩擦締結要素１１０との間に、本油圧スイッチ１が装備される。
【００１６】
油圧スイッチ１は、作動油圧が所定圧以上でオン信号を出力し、所定圧未満でオフ信号を出力する。この例では、油圧スイッチ１の検出信号が変速機コントローラ１３０に入力され、変速機コントローラ１３０はこの油圧スイッチ１の検出信号に基づいてソレノイド弁１２０を制御する。
【００１７】
［油圧スイッチの具体的構成］
図１は本実施形態にかかる油圧スイッチの縦断面図である。図１に示すように、油圧スイッチ１は、ダイヤフラム部２と、ダイヤフラム部２と対向する接点部３１を有するターミナル部３と、ターミナル部３の外周を囲む絶縁性リング４と、絶縁性リング４の外周を囲む導電性リング５と、導電性リング５及びダイヤフラム部２を把持する導電性ホルダ６と、を有している。
【００１８】
ダイヤフラム部２、ターミナル部３、絶縁性リング４、導電性リング５及び導電性ホルダ６は、何れもほぼ軸対称の部材であり、同一の軸心上に配置されている。また、ダイヤフラム部２、ターミナル部３、絶縁性リング４及び導電性リング５は、導電性ホルダ６に取り付けられ、導電性ホルダ６が図示しないバルブボディに固定される。そして、バルブボディから突出する部分（図１中の上部側）がオイルパンの油中に浸漬されている。
【００１９】
導電性ホルダ６は、軸方向の一端側（図１中では下端側）の軸心部分に、油導入穴６１が形成され、軸方向の他端側（図１中では上端側）に、ターミナル部３、絶縁性リング４及び導電性リング５の主要部とダイヤフラム部２とを収容する収容空間６２が、他端側に開口し、軸心を中心に径方向に広がって凹設されている。
【００２０】
油導入穴６１は、先端の開口６１ａから収容空間６２に向けて作動油が導入される油導入空間である。油導入穴６１の先端の開口６１ａは油導入穴６１の内部よりも径が狭められており、作動油の動的な影響を抑制し、静圧に対して精度よく反応するようになっている。
【００２１】
収容空間６２は、ほぼ円筒状の周壁部と、油導入穴６１の側に向かって縮径した円錐状の底面部とで主に区画された空間であり、底面部の外周寄りの周壁部との間には、一端側（下端側）に窪んだ円環状の溝６３が形成されて、この溝６３内には、シールリング７が内装される。
【００２２】
導電性リング５の外周部の一端側（下端側）には、一端面５１から一端方向（下方）に突設された環状凸部５２が設けられ、導電性リング５はこの環状凸部５２の端面をシールリング７に圧接させて、その一端側を収容空間６２内に収容される。ダイヤフラム部２は、円板状に形成され、その外周部分を収容空間６２の底面部と導電性リング５の環状凸部５２とで挟まれて固定されている。
【００２３】
導電性ホルダ６の収容空間６２の開口外周には、薄肉の爪状のかしめ部６４が形成されている。導電性リング５は、ダイヤフラム部２を挟んで環状凸部５２を、シールリング７に圧着した状態で、他端面５３を折り曲げられたかしめ部６４によってかしめられて固定される。
【００２４】
ただし、本油圧スイッチ１では、後述する連通孔９を覆う通液性のフィルタ１０が導電性リング５に外方（図１中上方）から当てがわれてかしめ部６４によって導電性リング５と共締めで固定されている。フィルタ１０についても後述する。
【００２５】
ターミナル部３は、接点部３１を有する先端部（図１中で下側の端部）が絶縁性リング４を介して導電性リング５に結合されており、導電性リング５及び絶縁性リング４を介して導電性ホルダ６に固定される。したがって、導電性リング５が導電性ホルダ６にかしめられて固定されることで、ターミナル部３も導電性ホルダ６に固定される。
【００２６】
このように、導電性リング５、絶縁性リング４及びターミナル部３が固定された導電性ホルダ６の収容空間６２内において、ダイヤフラム部２の他端面（図１中で上面）と、導電性リング５、絶縁性リング４及びターミナル部３の一端側（接点部３１を含む）との間には、ダイヤフラム部２と接点部３１との間の領域を含んだ接点室８が区画形成されている。
【００２７】
また、導電性リング５には、接点室８の内部と接点室８の外部（ターミナル部３の他端側（図１中の上側）の外部）とを連通する連通孔９が形成され、接点室８の内部に接点室８の外部の油が入出できるようになっている。ただし、接点室８の内部に導入される油は、オイルパン内の常圧の油である。
【００２８】
したがって、ダイヤフラム部２の一面（図１中の下面）には、油導入穴６１から導入された作動油の油圧（検出油圧）が作用し、ダイヤフラム部２の他面（図１中の上面）の接点室８側には、オイルパン内の常圧の油の油圧が作用する。
【００２９】
油導入穴６１に導入された検出油圧が常圧よりも高くなれば、ダイヤフラム部２は接点部３１に接近し、検出油圧が常圧に対して一定以上高くなれば、ダイヤフラム部２は接点部３１と接触する。
【００３０】
導電性リング５及びダイヤフラム部２は接地され接地電位となっていて、一方、ターミナル部３には一定電圧が印加されている。ダイヤフラム部２がターミナル部３の接点部３１から離隔していれば、ターミナル部３は一定電圧状態となるが、高い検出油圧を受けてダイヤフラム部２がターミナル部３の接点部３１に接触すれば通電して、ターミナル部３の電圧は接地電位に降下する。この原理を用いて、本油圧スイッチ１はオンオフ動作する。
【００３１】
つまり、油導入穴６１から導入された検出油圧が一定圧未満であれば、ダイヤフラム部２の変形は小さく、ダイヤフラム部２はターミナル部３の接点部３１から離隔しているため、ターミナル部３は一定電圧状態となり、この状態ではオフとする。
【００３２】
一方、油導入穴６１から導入された検出油圧が一定圧以上であれば、ダイヤフラム部２の変形は大きく、ダイヤフラム部２はターミナル部３の接点部３１に接触するため、ターミナル部３は接地電位に降下し、この状態ではオン信号を出力する。
したがって、所定の油圧が発生すれば、ターミナル部３は接地電位に降下し、本油圧スイッチ１はオン信号を出力し、所定の油圧が発生しなければ、ターミナル部３は一定電圧状態を維持し、本油圧スイッチ１はオフ信号を出力する。
【００３３】
ここで、連通孔９について説明する。
連通孔９を形成しているのは、ダイヤフラム部２の検出油圧による変形に応じて、接点室８の内部と接点室８の外部との間で油が流通することで、接点室８内の油がダイヤフラム部２の押圧変形の妨げにならないようにして、ダイヤフラム部２の変形応答性を向上させるためである。
【００３４】
図３のタイムチャートは、上部に油圧の時間変化を示し、下部にこの時間変化に対応した油圧スイッチ１のオンオフ変化を示す。下部のグラフのうち、実線で示すスイッチＡは連通孔９を有する本油圧スイッチ１の特性を示し、破線で示すスイッチＢは連通孔９を有さない油圧スイッチの特性を示す。
【００３５】
図３に示すように、破線で示す連通孔９を有さないスイッチＢは、接点室８内の油がダイヤフラム部２の押圧変形の妨げになるため、油圧の上昇あるいは下降といった変化に対してスイッチのオフからオンあるいはオンからオフへの応答に大きな遅れが生じる。
【００３６】
これに対して、実線で示す連通孔９を有するスイッチＡは、接点室８内の油がダイヤフラム部２の押圧変形の妨げになりにくいため、油圧の上昇あるいは下降といった変化に対してスイッチのオフからオンあるいはオンからオフへの応答遅れが小さく、連通孔９を設けることで油圧スイッチとしての応答性が大きく改善される。
【００３７】
連通孔９はこのような効果を奏する反面、連通孔９により新たな課題も発生する。図４は本実施形態の比較例であり、接点室８の内外を連通する連通孔９は備えているが連通孔９を覆うフィルタ１０は備えていない。
【００３８】
連通孔９を設けると、連通孔９内を油が流通するため、コンタミ１１，１２が油とともに流動して連通孔９の開口部等に噛み込むおそれが高まる。オイルパン内の油には通電性の金属コンタミも含まれるため、コンタミ１１，１２が金属で導電性がある場合もある。
【００３９】
図４には、比較的小さなコンタミ１１と比較的大きなコンタミ１２とを例示する。ただし、小さなコンタミ１１については、判別しやすいように実際よりも大きく記載している。この比較的小さなコンタミ１１は、連通孔９から接点室８の内部に侵入するが、比較的大きなコンタミ１２は連通孔９の開口部から接点室８の内部に侵入することはないものの、連通孔９の開口部付近に噛み込むことがある。
【００４０】
また、小さなコンタミ１１が、接点室８の内部に侵入すると、ターミナル部３の接点部３１等とダイヤフラム部２との間に噛み込むことがある。この場合、コンタミが通電性ならダイヤフラム部２が検出油圧によって押圧変形しなくてもターミナル部３は設置電位となって油圧スイッチはオン信号を出力する。
【００４１】
また、ターミナル部３の接点部３１等とダイヤフラム部２との間にコンタミが噛み込むと、ダイヤフラム部２が検出油圧によって押圧変形するのを妨げるため、検出油圧が高くなっても、ダイヤフラム部２が変形しないことがある。この場合、コンタミが非通電性なら検出油圧が高くなっても油圧スイッチ１はオフ信号を出力し続けてしまう。
【００４２】
一方、大きなコンタミ１２が通電性であると、コンタミ１１が導電性リング５とターミナル部３とを通電するように噛み込むことがある。この場合、ダイヤフラム部２が検出油圧によって押圧変形しなくてもターミナル部３は設置電位となって油圧スイッチはオン信号を出力する。
【００４３】
こうした不具合を解消するために、本油圧スイッチ１では、図１に示すように、連通孔９の外部側開口（図中、上側の開口）９ａを覆う通液性で且つ絶縁性のフィルタ１０を装備している。フィルタ１０は、ドーナツ形状（中空円板状）をしており、ドーナツ形状の中央孔部にターミナル部３が挿入されて、外周近傍をかしめ部６４によって導電性リング５と共締めでかしめられて固定されている。
【００４４】
フィルタ１０は、連通孔９から接点室８内へのコンタミの侵入や、連通孔９の外側入り口におけるコンタミの噛み込みを防止するとともに、連通孔９の機能として接点室８の内外を油が流通可能となっている。
【００４５】
また、フィルタ１０は絶縁性の材料で構成され、導電性リング５の露出表面全面を覆うように装備されている。したがって、導電性リング５は外部に直接露出する部分がなくなり、導電性リング５の外面側はフィルタ１０により絶縁被覆される。ここでは、フィルタ１０が導電性リング５の他端面５３（図１の上面）の全面を覆っているが、少なくとも導電性リング５の露出する表面について全面を覆えばよい。
【００４６】
［作用及び効果］
本油圧スイッチ１は、このように構成されているため、以下のような効果を奏する。
つまり、連通孔９を覆うようにフィルタ１０を設けることによって、連通孔９から接点室８内へのコンタミ１１の侵入や、連通孔９の外側入り口におけるコンタミ１２の噛み込みを防止することができる。これによって、コンタミの噛み込みに起因した油圧スイッチ１の作動不良の発生を防止することができる。
【００４７】
また、フィルタ１０が液体を通さない非通液性のものであると、油を通過させることが困難となるが、本フィルタ１０は、作動油を通過させることができる通液性のフィルタが適用されているので、接点室８内部と外部との間での油の流通を支障なく行うことができる。
【００４８】
さらに、連通孔９の開口部付近のみにフィルタ１０を装備した場合、比較的大きな導電性のコンタミ１２が連通孔９の開口部付近を跨ぐようにして、導電性リング５とターミナル部３とを通電するように噛み込むと、油圧スイッチ１の作動不良を招くことがある。この点、導電性リング５の露出表面全面を絶縁性のフィルタ１０で覆っているので、大きな導電性のコンタミ１２が流れてきても、導電性リング５とターミナル部３との間が絶縁性のフィルタ１０で絶縁されているため、油圧スイッチ１の作動不良の発生を防止することができる。
【００４９】
加えて、フィルタ１０を接着剤で固定することが考えられるが、連通孔９は非常に小さく、接着剤塗布するときに連通孔９が埋められてしまうおそれがあるが、導電性ホルダ６にかしめ固定して接着剤を用いていないので、こうした不具合も回避することができる。
【００５０】
［その他］
以上、本発明の実施形態を説明したが、本発明は、これらの実施形態に限定されず、本発明の趣旨を逸脱しない範囲で種々変形して実施することができる。
【００５１】
例えば、上記実施形態では、絶縁性のフィルタ１０が導電性リング５の露出表面全面を覆って、大きな導電性のコンタミ１２による不具合にも対処できるようにしたが、少なくとも通液性のフィルタを連通孔９の開口部を覆うように部分的に設けて、小さなコンタミ１１の連通孔９内への侵入を防止するようにするだけでも、小さなコンタミ１１による不具合には対処できる。
また、上記実施形態では導電性リング５に連通孔９を設けたが、連通孔９は接点室８の内外を連通させるものであればよく、例えば絶縁性リング４に連通孔９を設けてもよい。
【図１】
2019176271.tif 000003
【図２】
2019176271.tif 000004
【図３】
2019176271.tif 000005
【図４】
2019176271.tif 000006
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
油圧作動機器の作動油中に設けられたダイヤフラム式の油圧スイッチであって、
ダイヤフラム部と、
前記ダイヤフラム部と対向する接点部を有するターミナル部と、
前記ターミナル部の外周を囲む絶縁性リングと、
前記絶縁性リングの外周を囲む導電性リングと、
前記導電性リング及び前記ダイヤフラム部を把持する導電性ホルダと、
前記ダイヤフラム部と前記接点部との間の領域に区画形成された接点室と、
前記導電性リング及び前記絶縁性リングの何れかに設けられ前記接点室の内部と外部とを連通する連通孔と、
前記連通孔を覆う通液性のフィルタと、
を有し、
前記フィルタは、絶縁性を有すると共に、前記接点室の外部における前記導電性リングの露出表面全面を覆うものである油圧スイッチ。
【請求項２】
請求項１に記載の油圧スイッチにおいて、
前記フィルタは、ドーナツ形状を有しており、
前記ドーナツ形状の中央孔部に前記ターミナル部が挿入されており、
前記ドーナツ形状の外周端部が、前記導電性ホルダによりかしめ固定されている油圧スイッチ。
【国際調査報告】
2019176271.tif 000007
2019176271.tif 000008
2019176271.tif 000009
2019176271.tif 000010